(57)【要約】【課題】本発明は、固定と取外しが容易で、しかも、固定が確実であり、そのうえ、化学的接着剤によらないので、爪への負担が比較的少なく、手軽におしゃれを楽しむことができる爪装飾具の提供にある。【解決手段】  飾り部本体と、その裏面な一体に接続するコ字形挟持台とから構成されると共に、前記コ字形挟持台は、前部が垂下台部で接続される上台部と下台部のコ字型に形成されると共に、その上台部と前記飾り部本体には、上下に貫通するネジ孔を備えて挟持ネジを上方から螺合し、下台部には、前記挟持ネジの下端と適宜間隔を離隔して対面する挟持面を備えてなる爪装飾具。【選択図】図５
2008284206.tif 000002
【特許請求の範囲】
【請求項１】
飾り部本体と、その裏面に一体に接続するコ字形挟持台とから構成されると共に、前記コ字形挟持台は、前部が垂下台部で接続される上台部と下台部のコ字型に形成され、かつ、その上台部と前記飾り部本体には、上下に貫通するネジ孔を備えて挟持ネジを上方から螺合し、下台部には、前記挟持ネジの下端と適宜間隔を離隔して対面する挟持面を備えてなる爪装飾具。
【請求項２】
前記飾り部本体は、平板状に形成され、その上面と周縁が飾り面に形成され、その上面と裏面に一体に接続するコ字形挟字台の上台部に貫通してネジ孔が形成され、このネジ孔に上端の頭部に係合部を有する挟持ネジが上方から螺合され、挟持ネジを回転してその下端を上台部より下方に突出自在に配されてなる請求項１の爪装飾具。
【請求項３】
前記コ字形挟持台は、その上台部から下方に突出する前記挟持ネジの下端と下台部の挟持面との間に人の爪の先端伸長部を挟持して指に装備する請求項１の爪装飾具。
【請求項４】
前記飾り部本体には、飾り部本体の上面に前記挟持ネジを螺合するネジ孔と同心で、かつ、そのネジ孔より大径で適宜深さの凹陥調整孔を開設し、その凹陥調整孔に挟持ネジの頭部を嵌入し、挟持ネジの昇降幅を大きくして装着者の爪厚に広く対応して調整可能に構成してなる請求項２の爪装飾具。
【請求項５】
前記飾り部本体に接続するコ字形挟持台の上台部の挟持ネジの下端と前記コ字形挟持台の下台部の挟持面には、樹脂製弾性体を付設してなる請求項１の爪装飾具。
【請求項６】
前記コ字形挟持台は、その上台部及び垂下部の前面から下台部の下面へ縦向きに連続する飾りリブが横方向に適宜の間隔を存して数列・隆起設されてなる請求項１の爪装飾具。
【発明の詳細な説明】
【技術分野】
【０００１】
本発明は、爪装飾具に関するものである。
【背景技術】
【０００２】
従来、特許文献１には、貴金属製のつけ爪１の裏側に固定芯２を取付け、人の爪に穴を開け、該人の爪の穴に前記固定芯２を通し、止め具３で人の爪を挟むように固定してなるピアスの原理を利用したつけ爪の取付けが開示されている。
【０００３】
特許文献２には、爪表面に沿って湾曲した平板状の基板本体部１１の先端に、該基板本体部１１と一体となって連続した状態で下方及び後方に湾曲した係止部１２が設けられ、この係止部１２の後端部は、人の爪の先端部が基板本体部１１との間に嵌入した際に弾性力によって、人の爪の先端部下面に圧接されて、保持する取付けが開示されている。
【０００４】
特許文献３には、従来から、装飾用付け爪１と人の爪２との固定を両面テープ又はネイルグルーと呼ばれる付け爪用接着剤が使用されると開示されている。
【０００５】
【特許文献１】実登第３０３８２３４号登録実用新案公報
【特許文献２】特開２０００−２２９０１１号公開公報
【特許文献３】特開平９−２６６８１５号公開公報
【発明の開示】
【発明が解決しようとする課題】
【０００６】
前記特許文献１の人の爪に穴を開け、その穴に貴金属製のつけ爪１の裏側に取付けた固定芯２を通して止め具３で人の爪を挟むように固定するものは、固定芯２が作用して人の爪を傷つけ、爪を割ってしまうことがあり、取付け構造として問題である。
【０００７】
前記特許文献２の基板本体部１１の先端を下方及び後方に湾曲して設ける係止部１２は、弾性力が強いと、挿入装着時に人の爪を傷つけるおそれがあり、反対に弾性力が弱いと付け爪が人の爪から外れやすいという問題点がある。
【０００８】
前記特許文献３の従来から一般に使用されている両面テープによる固定は、簡便であるが、剥がれやすいという欠点があり、また、付け爪用接着剤による固定は、化学物質による異種物の結合であるので、生体である人の爪が損なわれるという問題がある。
【０００９】
本発明は、係る従来の問題を解決することを目的になされたものである。
【課題を解決するための手段】
【００１０】
飾り部本体と、その裏面に一体に接続するコ字形挟持台とから構成されると共に、前記コ字形挟持台は、前部が垂下台部で接続される上台部と下台部のコ字型に形成され、かつ、その上台部と前記飾り部本体には、上下に貫通するネジ孔を備えて挟持ネジを上方から螺合し、下台部には、前記挟持ネジの下端と適宜間隔を離隔して対面する挟持面を備えてなる爪装飾具にある。
【００１１】
前記飾り部本体は、平板状に形成され、その上面と周縁が飾り面に形成され、その上面と裏面に一体に接続するコ字形挟字台の上台部に貫通してネジ孔が形成され、このネジ孔に上端の頭部に係合部を有する挟持ネジが上方から螺合され、挟持ネジを回転してその下端を上台部より下方に突出自在に配されてなるものでもよいものである。
【００１２】
前記コ字形挟持台は、その上台部から下方に突出する前記挟持ネジの下端と下台部の挟持面との間に人の爪の先端伸長部を挟持して指に装備するものでもよいものである。
【００１３】
前記飾り部本体には、飾り部本体の上面に前記挟持ネジを螺合するネジ孔と同心で、かつ、そのネジ孔より大径で適宜深さの凹陥調整孔を開設し、その凹陥調整孔に挟持ネジの頭部を嵌入し、挟持ネジの昇降幅を大きくして装着者の爪厚に広く対応して調整可能に構成してなるものでもよいものである。
【００１４】
前記飾り部本体に接続するコ字形挟持台の上台部の挟持ネジの下端と前記コ字形挟持台の下台部の挟持面には、樹脂製弾性体を付設してなるものでもよいものである。
【００１５】
前記コ字形挟持台は、その上台部及び垂下部の前面から下台部の下面へ縦向きに連続する飾りリブが横方向に適宜の間隔を存して数列・隆起設されてなるものでもよいものである。
【発明の効果】
【００１６】
本発明の爪装飾具は、以上のように、爪の先端伸長部に上下からネジで圧接することにより固定するので、固定と取外しが容易で、しかも、固定が確実であり、そのうえ、化学的接着剤によらないので、爪への負担が比較的少なく、手軽におしゃれを楽しむことができる。
【発明を実施するための最良の形態】
【００１７】
飾り部本体と、その裏面に一体に接続するコ字形挟持台とから構成されると共に、前記コ字形挟持台は、前部が垂下台部で接続される上台部と下台部のコ字型に形成され、かつ、その上台部と前記飾り部本体には、上下に貫通するネジ孔を備えて挟持ネジを上方から螺合し、下台部には、前記挟持ネジの下端と適宜間隔を離隔して対面する挟持面を備えてなる爪装飾具であって、前記飾り部本体は、平板状に形成され、その上面と周縁が飾り面に形成され、その上面と裏面に一体に接続するコ字形挟字台の上台部に貫通してネジ孔が形成され、このネジ孔に上端の頭部に係合部を有する挟持ネジが上方から螺合され、挟持ネジを回転してその下端を上台部より下方に突出自在に配され、前記コ字形挟持台は、その上台部から下方に突出する前記挟持ネジの下端と下台部の挟持面との間に人の爪の先端伸長部を挟持し、前記飾り部本体には、飾り部本体の上面に前記挟持ネジを螺合するネジ孔と同心で、かつ、そのネジ孔より大径で適宜深さの凹陥調整孔を開設し、その凹陥調整孔に挟持ネジの頭部を嵌入し、挟持ネジの昇降幅を大きくして装着者の爪厚に広く対応して調整可能に構成し、前記飾り部本体に接続するコ字形挟字台の上台部の挟持ネジの下端と前記コ字形挟持台の下台部の挟持面には、樹脂製弾性体を付設し、前記コ字形挟持台は、その上台部及び垂下部の前面から下台部の下面へ縦向きに連続する飾りリブが横方向に適宜の間隔を存して数列・隆起設されてなる爪装飾具。
【実施例】
【００１８】
以下、本発明の爪装飾具を実施の一例として示す図面により説明すると、実施例の爪装飾具１は、飾り部本体１ａと、その裏面１ａ３に一体に接続するコ字形挟持台１ｂとから構成されると共に、このコ字形挟持台１ｂは、前部が垂下台部１ｂ２で接続される上台部１ｂ１及び下台部１ｂ３のコ字形に形成され、かつ、その上台部１ｂ１と前記飾り部本体１ａには、上下に貫通するネジ孔３を備えて挟持ネジ４を螺合し、下台部１ｂ３には、前記挟持ネジ４の下端４ｂと適宜間隔を離隔して対面する挟持面１ｂ３１を備えて構成される。
【００１９】
前記飾り部本体１ａは、平板状に形成され、その上面１ａ１と周縁１ａ２が飾り面２に形成され、その上面１ａ１と裏面１ａ３に一体に接続するコ字形挟持台１ｂの上台部１ｂ１に貫通してネジ孔３が形成され、このネジ孔３に上端の頭部４ａに係合部４ａ１を有する挟持ネジ４が上方から螺合され、その頭部４ａに係合部４ａ１に図示しないドライバー等の回し具を係合し、挟持ネジ４を回転してその下端４ｂを上台部１ｂ１より下方に適宜長さ突出自在に配される。
【００２０】
前記コ字形挟持台１ｂは、その上台部１ｂ１から下方に突出する前記挟持ネジ４の下端４ｂと下台部１ｂ３の挟持面１ｂ３１との間に人の爪５の先端伸長部５ａを挟持して本発明の爪装飾具１を人の指６に装備するものである。
【００２１】
前記飾り部本体１ａには、実施例では、飾り部本体１ａの上面１ａ１に前記挟持ネジ４を螺合するネジ孔３と同心で、かつ、そのネジ孔３より大径で適宜深さの凹陥調整孔７を開設し、挟持ネジ４の頭部４ａをそのネジ部４ｃより大径とし、係合部４ａ１の大型化を図り締付け力を大きくし、また、挟持ネジ４の昇降幅を大きくして装着者の爪厚に広く対応して調整可能に本発明の爪装飾具１が構成されている。
【００２２】
前記挟持ネジ４の係合部４ａ１は、図示の溝型に限定されるものではなく、図示しないが、＋型、六角型及び楕円型に凹陥するもの、また、頭部４ａを横に貫通する連係孔でも実施できるものである。
【００２３】
前記飾り部本体１ａの挟持ネジ４の下端４ｂと前記コ字形挟持台１ｂの下台部１ｂ３の挟持面１ｂ３１には、図示しないが、シリコン樹脂などの弾性体を介在、接着剤による接着または焼付けにより付設し、圧接面積の拡大と圧力の緩衝を図ってもよいものである。
【００２４】
前記飾り部本体１ａの左右中心の後縁に、正面に対して縦向きの飾り掛輪部８が一体に形成され、立体装飾機能と図示しない貴金属チエン等を連結可能に構成されている。
【００２５】
前記コ字形挟持台１ｂは、その上台部１ｂ１及び垂下部１ｂ２のそれぞれの前面から下台部１ｂ３の下面へ縦向きに連続する飾りリブ９が横方向に適宜の間隔を存して数列・隆起設されている。
【００２６】
前記コ字形挟持台１ｂの上台部１ｂ１は、飾り部本体１ａの厚みを部分的に増すことによって代えることができるものである。その実施例では、図示しないが、垂下部１ｂ２及び下台部１ｂ３のＬ字形挟持台としてもよいものである。
【産業上の利用可能性】
【００２７】
本発明の爪装飾具は、以上のように、固定と取外しが容易で、しかも、固定が確実であり、そのうえ、爪への負担が比較的少ないから、装身具の多様化に寄与するものであり、手軽に個性を主張し、日常の生活を充実させることができる。
【図面の簡単な説明】
【００２８】
【図１】本発明の爪装飾具の実施例を示す平面図である。
【図２】同じく、正面図である。
【図３】同じく、側面図である。
【図４】同じく、爪装飾具の実施例を爪に取付けた状態を示す側断面図である。
【図５】本発明の爪装飾具において、装飾を施した実施例を示す正面側斜視図である。
【符号の説明】
【００２９】
１  本発明の実施例の爪装飾具
１ａ  飾り部本体
１ａ１  上面
１ａ２  周縁
１ａ３  裏面
１ｂ  コ字形挟持台
１ｂ１  上台部
１ｂ２  垂下台部
１ｂ３  下台部
１ｂ３１  挟持面
２  飾り面
３  ネジ孔
４  挟持ネジ
４ｂ  下端
３  ネジ孔
４  挟持ネジ
４ａ  頭部
４ａ１  係合部
４ｂ  下端
４ｃ  ネジ部
５  人の爪
５ａ  先端伸長部
６  人の指
７  凹陥調整孔
８  飾り掛輪部
９  飾りリブ
【図１】
2008284206.tif 000003
【図２】
2008284206.tif 000004
【図３】
2008284206.tif 000005
【図４】
2008284206.tif 000006
【図５】
2008284206.tif 000007